(57)【要約】【課題】木質炭化物・トルマリン・酸化チタンの防菌・除菌効果・消臭効果・化学物質分解力と電磁波と加温との作用及び薬草成分の薬草効果でもって肌・人体に良好にして健康を増進させる。【解決手段】銀薄膜１に竹炭とトルマリン・酸化チタンを重量比で１０：１：１の割合で不織布に含有させた炭含有層２を積層させてシート本体３となし、不織布に赤松の松葉・鳥梅・熊笹の粉を含有させた薬草含有層３を付着し、これを粘着シート６によって肌７に貼りつける。【選択図】          図１
2004180864.tif 000002
【特許請求の範囲】
【請求項１】
銀の薄膜の表面に木質炭化物粉を含有させた炭含有層を積層させたシート本体に肌に付着する粘着面を設けた健康増進貼シート。
【請求項２】
炭含有層にトルマリン粉と酸化チタン粉を含有させた請求項１記載の健康増進貼シート。
【請求項３】
木質炭化物が竹炭である請求項１又は２記載の健康増進貼シート。
【請求項４】
炭含有層が不織布に木質炭化物粉を含有させて形成された請求項１〜３何れか記載の健康増進貼シート。
【請求項５】
薬草の有効成分を吸水体に含浸させて乾燥させた薬草含有層を銀の薄膜表面に設けた請求項１〜４何れか記載の健康増進貼シート。
【請求項６】
薬草が赤松の松葉と鳥梅と熊笹である請求項５記載の健康増進貼シート。
【発明の詳細な説明】
【０００１】
【発明の属する技術分野】
本発明は、肌に付着することでシート本体に含有させた木質炭化物，トルマリン，酸化チタン粉が銀薄膜と作用して遠赤外線によって各成分の効果を高め、又薬草成分がそれに加わって体調を向上させて健康増進させる技術である。
【０００２】
【従来の技術】
従来、粉状の木炭・竹炭を含有させた布を肌に当てることによって炭のもっている遠赤外線効果で加温状態にして体調を良好にする製品は知られている。
しかしながら、この炭による遠赤外線効果だけでは不充分であって、その効果が低いものであった。
【０００３】
【発明が解決しようとする課題】
本発明は、従来のこれらの問題点を解消し、木質炭化物の遠赤外線効果を高め、又これと併せてトルマリン・酸化チタン・薬草成分によって健康増進の効果を高めることができた健康増進貼シートを提供することにある。
【０００４】
【課題を解決するための手段】
かかる課題を解決した本発明の構成は、
１）  銀の薄膜の表面に木質炭化物粉を含有させた炭含有層を積層させたシート本体に肌に付着する粘着面を設けた健康増進貼シート
２）  炭含有層にトルマリン粉と酸化チタン粉を含有させた前記１）記載の健康増進貼シート
３）  木質炭化物が竹炭である前記１）又は２）記載の健康増進貼シート
４）  炭含有層が不織布に木質炭化物粉を含有させて形成された前記１）〜３）何れか記載の健康増進貼シート
５）  薬草の有効成分を吸水体に含浸させて乾燥させた薬草含有層を銀の薄膜表面に設けた前記１）〜４）何れか記載の健康増進貼シート
６）  薬草が赤松の松葉と鳥梅と熊笹である前記５）記載の健康増進貼シート
にある。
【０００５】
【発明の実施の形態】
本発明の炭含有層となるベース材としては不織布，織布，紙，軟質プラスチック等があり、そのうち不織布が実用的である。木質炭化物粉，トルマリン粉，酸化チタン粉の含有のさせ方としては、水・溶液にこれら粉体を混入して混合した液中に含浸させて乾燥させて含有させる方法、又は上下のシート状の間にこれら粉体を移動しにくいように封止する方法、又は粉体又はシート体に粘着剤・接着剤を塗布して粘着・接着する方法によりこれら粉体が離散・飛散しないようにする。
木質炭化物としては、木炭・竹炭・活性炭があり、竹炭が実用的である。
本発明の薬草含有層の薬草としては、赤松の松葉，鳥梅，熊笹，その他漢方薬の薬草が使用できる。
【０００６】
【実施例】
以下、本発明の実施例を図面に基づいて説明する。
本実施例の健康増進貼シートは銀の薄膜１の下面には、竹炭の木質炭化物粉とトルマリン粉と酸化チタン粉とを混合したものを不織布に含有させた炭含有不織布を炭含有層２として接着して設けている。又銀膜の上面には不織布に、薬草の赤松の松葉粉，鳥梅粉，クマザサ（熊笹）粉を水に溶かして含浸させて乾燥させて薬含有層３として接着して設けている例である。図３に示す他の実施例は炭含有層２が上面に、薬草含有層３が下面（肌側）に配置した例である。
図１は、実施例の拡大断面図である。
図２は、実施例の平面図である。
図３は、他の実施例の拡大断面図である。
図中、１は１ｍｍ程厚みの銀の薄膜、２は炭含有層、３は銀の薄膜１の上面に炭含有層２を接着したシート本体、４は同シート本体の下面に接着した松葉粉・鳥梅粉・クマザサ粉を不織布に含有させた薬草含有層、５は同薬草含有層の下面に付着させたガーゼ、６は外周に粘着面６ａを有する炭含有層２の上に取付けられ、その外周縁に粘着剤を塗布した粘着面６ａを有する粘着シート、７は肌である。
【０００７】
この実施例における竹炭の木質炭化物粉と、トルマリン粉と、酸化チタン粉との混合比率は重量比で１０：１：１である。又薬草含有層の薬草成分の含浸比率は表１の通りである。
【０００８】
【表１】
2004180864.tif 000003
【０００９】
本実施例の炭含有層２中の木質炭化物粉，トルマリン粉，酸化チタン粉は、太陽光線又は室内照明灯からの直接の光及び又銀薄膜１を介しての光によって活性化し、光の副射熱・銀薄膜１の伝熱及びこれらの粉体活性化によって温度が上がって肌を加温するとともに、木質炭化物・トルマリン・酸化チタンによる防菌・除菌効果・消臭効果が生じる。又トルマリン・酸化チタンによってホルムアルデヒド等の化学物質が分解され、又銀薄膜１，木質炭化物によって電磁波吸収能力と、特定波長の電磁波の発生が強くなって、その電磁波によって免疫，胸腺・交感神経・視床下部・脳下垂体・甲状腺・副腎皮質・リンパ節・癌・血液循環・毛細血管・腰椎神経に作用し、これらの状態を良好にして、ストレス・気力・神経痛・喘息発作等の病状を改善する。又、トルマリン及び酸化チタンはマイナスイオン効果が発生する。又、この炭含有層２と銀薄膜１のシート本体３は皮膚１次刺激性試験の結果、弱い刺激性のものしかなく、問題がなく使用できるものであった。
又本実施例の薬草含有層４は、太陽光線又は室内証明灯からの光及び炭含有層２からの熱が銀薄膜１を介して伝熱して薬草含有層４を加温し、又トルマリン・酸化チタンの活性化力・電磁力によって薬草含有層４部分の松葉粉・鳥梅の粉・熊笹の粉の薬草成分の働きを高め、前記の効果に加え、薬草成分による効果が有効に働いて、健康を増進させる。
本実施例の健康増進シートの貼る人体の個所は、改善させる器官・患部に近い肌、又はその器官に影響を与え易い個所の肌位置である。
【００１０】
図３に示す他の実施例は、炭含有層２と薬草含有層４とが上下逆に配置された例であり図１，２の実施例と同様な作用効果を有する。
【００１１】
【発明の効果】
以上の様に、本発明によれば、銀薄膜が木質炭化物粉の炭機能を活性化し、高い防菌・除菌・消臭効果及び電磁波の吸収と放出によって、マイナスイオン効果、赤外線効果を高め、又その熱が皮膚に伝熱されて加温し、皮膚・体内への効果を高める。又、トルマリン・酸化チタンの粉を含有させれば、トルマリン・酸化チタンが光によって活性化し、除菌・抑菌・消臭効果を高め、マイナスイオン効果を高める。更に、薬草成分を含有させた薬草含有層を設ければ、その薬成分が炭含有層からの熱によって加温され、又木質炭化物・トルマリン・酸化チタンの粉による電磁波・マイナスイオン等によって薬草成分の薬効果を高めることができる。
【図面の簡単な説明】
【図１】実施例の拡大断面図である。
【図２】実施例の平面図である。
【図３】他の実施例の拡大断面図である。
【符号の説明】
１  銀薄膜
２  炭含有層
３  シート本体
４  薬含有層
５  ガーゼ
６  粘着シート
６ａ  粘着面
７  肌
【図１】
2004180864.tif 000004
【図２】
2004180864.tif 000005
【図３】
2004180864.tif 000006